(57)【要約】【課題】複数の検査装置に対して、それぞれの検査装置に最適な検査を割り当てることができる検査予約装置を提供すること。【解決手段】検査種を示す検査種情報を入力する為の検査種入力手段２Ａと、当該検査予約装置２と電気通信回線を介して接続されているモダリティ装置に関するプリセット情報を記憶する検査手法プリセットデータベース２Ｂと、前記検査種入力手段２Ａによって入力された前記検査種情報と、前記検査手法プリセットデータベース２Ｂによって記憶されている前記プリセット情報とを照合し、該照合結果に基づいて当該検査に用いるモダリティ装置を選択する検査手法プリセット選択手段２Ｃと、を具備する検査予約装置。【選択図】図２
2008264361.tif 000002
【特許請求の範囲】
【請求項１】
検査種を示す検査種情報を入力する為の検査種入力部と、
当該検査予約装置と電気通信回線を介して接続されているモダリティ装置に関するプリセット情報を記憶するプリセット情報記憶部と、
前記検査種入力部によって入力された前記検査種情報と、前記プリセット情報記憶部によって記憶されている前記プリセット情報とを照合し、該照合結果に基づいて当該検査に用いるモダリティ装置を選択する選択部と、
を具備することを特徴とする検査予約装置。
【請求項２】
前記モダリティ装置における検査予約に関する情報である予約情報を記憶する予約情報記憶部と、
前記選択部によって選択されたモダリティ装置の検査予約をする旨の予約情報を、前記予約情報記憶部に入力する為の予約部と、
を含むことを特徴とする請求項１に記載の検査予約装置。
【請求項３】
検査種を示す検査種情報を入力する為の検査種入力部と、
当該検査予約装置と電気通信回線を介して接続されているモダリティ装置に関するプリセット情報を記憶するプリセット情報記憶部と、
前記モダリティ装置における検査予約に関する情報である予約情報を記憶する為の予約情報記憶部と、
前記選択部によって選択されたモダリティ装置の検査予約をする旨の予約情報を、前記予約情報記憶部に入力する為の予約部と、
前記予約情報を前記予約情報記憶部から取得する予約状況取得部と、
前記検査種入力部によって入力された前記検査種情報と、前記プリセット情報記憶部によって記憶されている前記プリセット情報とを照合し、且つ前記予約状況取得部によって取得した前記予約情報を参照して、当該検査に用いるモダリティ装置を選択する選択部と、
を具備することを特徴とする検査予約装置。
【請求項４】
検査種を示す検査種情報を入力する為の検査種入力部と、
当該検査予約装置と電気通信回線を介して接続されているモダリティ装置に関するプリセット情報を記憶するプリセット情報記憶部と、
患者の状態を示す患者状態情報を入力する為の患者状態情報入力部と、
前記検査種入力部によって入力された前記検査種情報と、前記患者状態情報入力部によって入力された前記患者状態情報と、前記プリセット情報記憶部によって記憶されている前記プリセット情報とを照合し、該照合結果に基づいて当該検査に用いるモダリティ装置を選択する選択部と、
を具備することを特徴とする検査予約装置。
【請求項５】
前記モダリティ装置における検査予約に関する情報である予約情報を記憶する予約情報記憶部と、
前記選択部によって選択されたモダリティ装置の検査予約をする旨の予約情報を、前記予約情報記憶部に入力する為の予約部と
を含むことを特徴とする請求項４に記載の検査予約装置。
【請求項６】
検査種を示す検査種情報を入力する為の検査種入力部と、
当該検査予約装置と電気通信回線を介して接続されているモダリティ装置に関するプリセット情報を記憶するプリセット情報記憶部と、
前記モダリティ装置における検査予約に関する情報である予約情報を格納する為の予約情報記憶部と、
前記予約情報を前記予約情報記憶部から取得する予約状況取得部と、
患者の状態を示す患者状態情報を入力する為の患者状態情報入力部と、
前記検査種入力部によって入力された前記検査種情報と、前記患者状態情報入力部によって入力された前記患者状態情報と、前記プリセット情報記憶部によって記憶されている前記プリセット情報とを照合し、且つ前記予約状況取得部によって取得した前記予約情報を参照して、当該検査に用いるモダリティ装置を選択する選択部と、
前記選択部によって選択されたモダリティ装置の検査予約をする旨の予約情報を前記予約情報記憶部に入力する為の予約部と、
を具備することを特徴とする検査予約装置。
【請求項７】
前記選択部は、
選択し得る条件を満たすモダリティ装置が複数存在する場合に、前記患者状態情報と前記プリセット情報との照合結果を最優先させてモダリティ装置を選択する患者状態優先モードと、前記予約情報を最優先させて最も早く検査を実行することができるモダリティ装置を選択する予約優先モードと、を有することを特徴とする請求項６に記載の検査予約装置。
【発明の詳細な説明】
【技術分野】
【０００１】
本発明は、検査予約装置に関する。
【背景技術】
【０００２】
今日、比較的大きな病院において医療検査や診察を受ける場合、初診の外来患者は、受付において患者名、希望診療科目及び希望予約時間等の検査予約情報を医療従事者に告げる。そして、医療従事者が前記検査予約情報を検査予約装置に入力することによって、検査予約情報が登録される。
【０００３】
一方、医師は、自己が診察した通院患者の診察結果や検査結果に基づいた次回の検査予約を、最寄りの端末装置（オーダシステム）から入力し、この端末装置から入力された検査予約情報が上述の検査予約装置に登録される。
【０００４】
つまり、検査予約は、通常、検査予約装置において管理され、各検査室における検査は、ネットワークを介して前記検査予約装置から供給される検査予約情報に基づいて行なわれる。
【０００５】
このような検査予約装置に関連する技術として、例えば特許文献１に次のような技術が開示されている。すなわち、特許文献１に開示された検査予約システムによれば、例えばＸ線ＣＴ装置等の医用画像診断装置を用いた医療検査を開始する前に行なう電源の投入、ハードウェアの暖機運転（ウォーミングアップ）、ソフトウェアの起動、更には故障解析を含めたシステムチェック等の準備が、予め策定された検査計画に基づいて自動的に行なわれるため、検査効率や作業効率が大幅に向上する。
【特許文献１】特開２００６−７５５１２号公報
【発明の開示】
【発明が解決しようとする課題】
【０００６】
ところで、規模の大きな病院では、互いに異なる性能を有し且つ同一の医療検査を行う複数の検査装置が設置されている。従って、各々の検査装置の性能、使用状況、及び予約状況等と、各々の患者の状態等とに応じて、それぞれの検査装置を最適な患者に割り当てて使用することにより、患者に掛かる負担が少なく且つ高精度な医療検査を実現することができる。
【０００７】
しかしながら、現在、各々の検査装置の性能、使用状況、及び予約状況等と、各々の患者の状態等とに応じて、それぞれの検査装置を最適な患者に自動的に割り当てる為の技術は無い。当然ながら、前記特許文献１にもそのような技術は開示されていない。
【０００８】
本発明は、前記の事情に鑑みてなされたものであり、複数の検査装置に対して、それぞれの検査装置に最適な検査を割り当てることができる検査予約装置を提供することを目的とする。
【課題を解決するための手段】
【０００９】
上記の目的を達成するために、請求項１に記載の本発明による検査予約装置は、検査種を示す検査種情報を入力する為の検査種入力部と、当該検査予約装置と電気通信回線を介して接続されているモダリティ装置に関するプリセット情報を記憶するプリセット情報記憶部と、前記検査種入力部によって入力された前記検査種情報と、前記プリセット情報記憶部によって記憶されている前記プリセット情報とを照合し、該照合結果に基づいて当該検査に用いるモダリティ装置を選択する選択部と、を具備することを特徴とする。
【００１０】
上記の目的を達成するために、請求項３に記載の本発明による検査予約装置は、検査種を示す検査種情報を入力する為の検査種入力部と、当該検査予約装置と電気通信回線を介して接続されているモダリティ装置に関するプリセット情報を記憶するプリセット情報記憶部と、前記モダリティ装置における検査予約に関する情報である予約情報を記憶する為の予約情報記憶部と、前記選択部によって選択されたモダリティ装置の検査予約をする旨の予約情報を、前記予約情報記憶部に入力する為の予約部と、前記予約情報を前記予約情報記憶部から取得する予約状況取得部と、前記検査種入力部によって入力された前記検査種情報と、前記プリセット情報記憶部によって記憶されている前記プリセット情報とを照合し、且つ前記予約状況取得部によって取得した前記予約情報を参照して、当該検査に用いるモダリティ装置を選択する選択部と、を具備することを特徴とする。
【００１１】
上記の目的を達成するために、請求項４に記載の本発明による検査予約装置は、検査種を示す検査種情報を入力する為の検査種入力部と、当該検査予約装置と電気通信回線を介して接続されているモダリティ装置に関するプリセット情報を記憶するプリセット情報記憶部と、患者の状態を示す患者状態情報を入力する為の患者状態情報入力部と、前記検査種入力部によって入力された前記検査種情報と、前記患者状態情報入力部によって入力された前記患者状態情報と、前記プリセット情報記憶部によって記憶されている前記プリセット情報とを照合し、該照合結果に基づいて当該検査に用いるモダリティ装置を選択する選択部と、を具備することを特徴とする。
【００１２】
上記の目的を達成するために、請求項６に記載の本発明による検査予約装置は、検査種を示す検査種情報を入力する為の検査種入力部と、当該検査予約装置と電気通信回線を介して接続されているモダリティ装置に関するプリセット情報を記憶するプリセット情報記憶部と、前記モダリティ装置における検査予約に関する情報である予約情報を記憶する予約情報記憶部と、前記予約情報を前記予約情報記憶部から取得する予約状況取得部と、患者の状態を示す患者状態情報を入力する為の患者状態情報入力部と、前記検査種入力部によって入力された前記検査種情報と、前記患者状態情報入力部によって入力された前記患者状態情報と、前記プリセット情報記憶部によって記憶されている前記プリセット情報とを照合し、且つ前記予約状況取得部によって取得した前記予約情報を参照して、当該検査に用いるモダリティ装置を選択する選択部と、前記選択部によって選択されたモダリティ装置の検査予約をする旨の予約情報を前記予約情報記憶部に入力する為の予約部と、を具備することを特徴とする。
【発明の効果】
【００１３】
本発明によれば、複数の検査装置に対して、それぞれの検査装置に最適な検査を割り当てることができる検査予約装置を提供することができる。
【発明を実施するための最良の形態】
【００１４】
以下、図面を参照して本発明の実施形態に係る検査予約装置を説明する。なお、検査装置としてはＸ線ＣＴ装置を想定して説明する。
【００１５】
［第１実施形態］
図１は、本第１実施形態に係る検査予約装置とＣＴ装置との接続構成を示す図である。同図に示すように、本第１実施形態に係る検査予約装置２は、第１ＣＴ装置４Ａ，第２ＣＴ装置４Ｂ，及び第３ＣＴ装置４Ｃとネットワーク６を介して接続されている。
【００１６】
ここで、前記第１ＣＴ装置４Ａ，前記第２ＣＴ装置４Ｂ，及び前記第３ＣＴ装置４Ｃは、互いに異なる特性を有するＣＴ装置である。
【００１７】
また、予約端末８Ａ，８Ｂは、例えば前記検査予約装置２とは別室に設置されていてもよく、この予約端末８Ａ，８Ｂを用いることで、前記検査予約装置２が設置されている部屋以外の場所においても、後述するような種々の検査予約操作を行うことができる。
【００１８】
なお、図１に示す構成では、検査装置として第１ＣＴ装置４Ａ，第２ＣＴ装置４Ｂ，第３ＣＴ装置４Ｃを想定しているが、検査装置の台数に制限は無いことは勿論である。同様に、図１に示す構成では、予約端末として、予約端末８Ａ，８Ｂの２台を想定しているが、予約端末の台数に制限が無いことも勿論である。
【００１９】
図２は、本第１実施形態に係る検査予約装置２の構成を示す図である。同図に示すように、本第１実施形態に係る検査予約装置２は、検査種入力手段２Ａと、検査手法プリセットデータベース２Ｂと、検査手法プリセット選択手段２Ｃと、予約手段２Ｄと、予約データベース２Ｅとを具備する。
【００２０】
前記検査種入力手段２Ａは、ユーザーが検査予約しようとする医療検査の検査種を、当該検査予約装置２に入力する為の手段である。図３は、この検査種入力手段２Ａによってユーザーが検査種を当該検査予約装置２に入力する際に、所定の表示装置１１に表示される検査種入力画面の一例を示す図である。すなわち、ユーザーは、図３に示すような検査種入力画面を参照して所定の入力操作を行うことで、当該医療検査における検査対象部位等を、当該検査予約装置２に入力する。
【００２１】
前記検査手法プリセットデータベース２Ｂは、前記ネットワーク６を介して当該検査予約装置２に接続されている全てのＣＴ装置すなわち第１ＣＴ装置４Ａ，第２ＣＴ装置４Ｂ，及び第３ＣＴ装置４Ｃに関して、それぞれのＣＴ装置が可能な検査種等についてのプリセット情報が格納されているデータベースである。図４は、このプリセット情報の一例を示す図である。なお、図４に示す例においては、プリセット情報は、それぞれのＣＴ装置が可能な検査種を示す情報としている。例えば、図４に示すプリセット情報によれば、前記第１ＣＴ装置４Ａのみが、検査種として心臓検査を選択することが可能であることが分かる。
【００２２】
前記検査手法プリセット選択手段２Ｃは、前記検査種入力手段２Ａによって入力された検査種等と、前記検査手法プリセットデータベース２Ｂに格納されているプリセット情報とに基づいて、当該医療検査に最適なＣＴ装置を選択し、且つ該選択したＣＴ装置を示す装置選択情報を作成して前記予約手段２Ｄに入力する。
【００２３】
例えば、前記検査種入力手段２Ａによって入力された検査種が“心臓”であった場合、前記検査手法プリセット選択手段２Ｃは、当該医療検査に最適なＣＴ装置として、“心臓”を検査可能な唯一のＣＴ装置である前記第１ＣＴ装置４Ａを選択する。そして、前記第１ＣＴ装置４Ａを選択する旨を示す装置選択情報を作成して前記予約手段２Ｄに入力する。
【００２４】
前記予約手段２Ｄは、前記検査手法プリセット選択手段２Ｃから入力された前記装置選択情報に基づいて、当該医療検査において使用するＣＴ装置及び使用時間等を示す予約情報を、前記予約データベース２Ｅに入力する。なお、この予約手段２Ｄは、前記予約データベース２Ｅに前記予約情報を入力すると共に、この予約情報を所定の表示手段（不図示）に表示させることで、ユーザーに提示する予約情報提示機能を有していても良い。
【００２５】
なお、図１に示す予約端末８Ａ，８Ｂは、前記検査予約装置２における前記検査種入力手段２Ａの機能及び前記予約手段２Ｄの有する予約情報提示機能を具備する装置である。
【００２６】
以上説明したように、本第１実施形態によれば、複数の検査装置に対して、それぞれの検査装置に最適な検査を割り当てることができる検査予約装置を提供することができる。
【００２７】
より具体的には、本第１実施形態によれば、互いに異なる性能を有し且つ同一の医療検査を行う複数の検査装置を各々の患者に対して最適に割り当てることで、主として次の３つの効果を奏する検査予約装置を提供することができる。
【００２８】
（効果１）各々のモダリティ装置の特性を活かした高精度な検査。
【００２９】
（効果２）各々のモダリティ装置の特性を活かした患者に負担を与えない検査。
【００３０】
（効果３）患者スループットの向上（患者の待ち時間軽減、病院経営の効率向上）。
【００３１】
［第２実施形態］
以下、図面を参照して、本発明の第２実施形態に係る検査予約装置を説明する。なお、ここでは前記第１実施形態に係る検査予約装置との相違点を中心に説明する。
【００３２】
図５は、本第２実施形態に係る検査予約装置の構成を示す図である。同図に示すように、本第２実施形態に係る検査予約装置２０は、検査種入力手段２Ａと、検査手法プリセットデータベース２Ｂと、検査手法プリセット選択手段２Ｃと、予約手段２Ｄと、予約データベース２Ｅと、本第２実施形態に係る検査予約装置に特有の予約状況取得手段２Ｆとを具備する。
【００３３】
ここで、前記予約状況取得手段２Ｆは、前記予約データベース２Ｅから、第１ＣＴ装置４Ａ，第２ＣＴ装置４Ｂ，及び第３ＣＴ装置４のそれぞれの予約情報を取得する。
【００３４】
そして、本第２実施形態に係る検査予約装置２０では、前記検査手法プリセット選択手段２Ｃは、当該医療検査に最適なＣＴ装置の選択の際に、前記予約データベース２Ｅから取得した前記予約情報も参照する。
【００３５】
すなわち、本第２実施形態に係る検査予約装置２０によれば、例えば同一条件の選択候補であるＣＴ装置が複数台存在する場合に、前記予約情報を参照して、最も早く当該医療検査に着手できるＣＴ装置を選択する。
【００３６】
以上説明したように、本第２実施形態によれば、前記第１実施形態に係る検査予約装置と同様の効果を奏する上に、各々の検査装置においてより高い処理効率を実現する検査予約装置を提供することができる。
【００３７】
［第３実施形態］
以下、図面を参照して、本発明の第３実施形態に係る検査予約装置を説明する。なお、ここでは前記第１実施形態に係る検査予約装置との相違点を中心に説明する。
【００３８】
図６は、本第３実施形態に係る検査予約装置の構成を示す図である。同図に示すように、本第３実施形態に係る検査予約装置２１は、検査種入力手段２Ａと、検査手法プリセットデータベース２Ｂと、検査手法プリセット選択手段２Ｃと、予約手段２Ｄと、予約データベース２Ｅと、本第３実施形態に係る検査予約装置に特有の患者状態入力手段２Ｇとを具備する。
【００３９】
ここで、前記患者状態入力手段２Ｇは、当該医療検査を受診する患者の状態を示す患者状態情報を、ユーザーが当該検査予約装置２１に入力する為の手段である。この患者状態情報とは、例えば図８に示すように“当該患者が息を止めることの困難性を示す情報”及び“当該患者の体格を示す情報”を含む情報である。ここで、図７は、この患者状態入力手段２Ｇによってユーザーが患者状態情報を当該検査予約装置２１に入力する際に、所定の表示装置１１に表示される患者状態情報入力画面の一例を示す図である。
【００４０】
すなわち、前記“当該患者が息を止めることの困難性を示す情報”は、例えば図７に示すように“困難、やや困難、問題なし”として示される。また、前記“当該患者の体格を示す情報”は、例えば図７に示すように“太い、やや太い、普通”として示される。
【００４１】
また、本第３実施形態に係る検査予約装置では、前記第１実施形態において図４を参照して説明した前記プリセット情報は、図８に示すように、より詳細に設定されている。
【００４２】
すなわち、前記プリセット情報は、例えば“当該検査種における実際のスキャン動作を完了するまでに要する時間を示す情報”や“当該検査種における最大スキャン径を示す情報”を含む。ここで、前記“当該検査種における実際のスキャン動作を完了するまでに要する時間を示す情報”は、例えば“秒”を単位として示される。また、前記“当該検査種における最大スキャン径を示す情報”は、例えば“Ｓ，Ｍ，Ｌ，ＬＬ，ＸＬ”を単位として示される。
【００４３】
そして、本第３実施形態に係る検査予約装置においては、前記検査手法プリセット選択手段２Ｃは、前記プリセット情報を参照して、例えば次のようにして当該医療検査にて用いるＣＴ装置を選択する。
【００４４】
すなわち、図３に示す検査種入力画面において、ユーザーによって検査種として例えば“胸部”が選択され、且つ図７に示す患者状態情報入力画面において例えば前記“当該患者が息を止めることの困難性を示す情報”として“やや困難”が選択され、前記“当該患者の体格を示す情報”として“太い”が選択された場合、前記検査手法プリセット選択手段２Ｃは、当該医療検査にて用いるＣＴ装置を次のようにして選択する。
【００４５】
まず、前記検査手法プリセット選択手段２Ｃは、前記検査手法プリセットデータベース２Ｂに格納されているプリセット情報を参照して、検査種として“胸部”が存在しているＣＴ装置として第１ＣＴ装置４Ａ，第２ＣＴ装置４Ｂ，第３ＣＴ装置４Ｃを検出する。
【００４６】
続いて、前記検査手法プリセット選択手段２Ｃは、第１ＣＴ装置４Ａ，第２ＣＴ装置４Ｂ，第３ＣＴ装置４Ｃにおける“当該検査種における実際のスキャン動作を完了するまでに要する時間を示す情報”及び前記“当該検査種における最大スキャン径を示す情報”を参照し、“当該検査種における実際のスキャン動作を完了するまでに要する時間を示す情報”として最も短い“７秒”を示す第２ＣＴ装置４Ｂと、前記“当該検査種における最大スキャン径を示す情報”として最も大きい“ＸＬ”を示す第１ＣＴ装置４Ａとを検出する。
【００４７】
そして、前記検査手法プリセット選択手段２Ｃは、前記“当該検査種における最大スキャン径を示す情報”を優先して、前記第２ＣＴ装置４Ｂを選択する。
【００４８】
以上説明したように、本第３実施形態によれば、前記第１実施形態に係る検査予約装置と同様の効果を奏する上に、各々の患者の状態に最適な検査装置の割り当てを実現する検査予約装置を提供することができる。
【００４９】
［第４実施形態］
以下、図面を参照して、本発明の第４実施形態に係る検査予約装置を説明する。なお、ここでは前記第１実施形態に係る検査予約装置との相違点を中心に説明する。
【００５０】
図９は、本第４実施形態に係る検査予約装置の構成を示す図である。同図に示すように、本第４実施形態に係る検査予約装置２２は、検査種入力手段２Ａと、検査手法プリセットデータベース２Ｂと、検査手法プリセット選択手段２Ｃと、予約手段２Ｄと、予約データベース２Ｅと、予約状況取得手段２Ｆと、患者状態入力手段２Ｇとを具備する。
【００５１】
ここで、前記予約状況取得手段２Ｆについては、前記第２実施形態において説明した通りである。また、前記患者状態入力手段２Ｇについては、前記第３実施形態において説明した通りである。
【００５２】
そして、本第４実施形態に係る検査予約装置に特有の機能として、優先モード設定機能がある。すなわち、ユーザーは、前記検査手法プリセット選択手段２Ｃを、後述するような“患者状態優先モード”または“予約優先モード”に設定することができる。
【００５３】
なお、これらのモードの設定は、例えば前記検査種入力手段２Ａによる検査種入力時や前記患者状態入力手段２Ｇによる患者状態情報入力時に行うとする。しかしながら、モード設定を行う為のモード設定手段を、別個に設けても勿論よい。
【００５４】
さらには、これらのモードの設定に関しては、例えば予め病院の方針に従って設定されるようにしても良いし、各々の医療検査毎にユーザーが設定するとしても良い。
【００５５】
前記“患者状態優先モード”に設定されている場合には、前記検査手法プリセット選択手段２Ｃは、例えば次のようにしてＣＴ装置を選択する。
【００５６】
例えば、図３に示す検査種入力画面において、ユーザーによって検査種として“胸部”が選択され、且つ図７に示す患者状態情報入力画面において前記“当該患者が息を止めることの困難性を示す情報”として“やや困難”が選択された場合には、たとえ前記予約状況取得手段２Ｆによって前記予約データベース２Ｅから取得した予約情報が“第３ＣＴ装置４Ｃが最も空いている”ことを示している場合であっても、前記“当該患者が息を止めることの困難性を示す情報”を優先して、“当該検査種における実際のスキャン動作を完了するまでに要する時間を示す情報”が最も短い第１ＣＴ装置４Ａを選択する。
【００５７】
同様に、前記“予約優先モード”に設定されている場合には、前記検査手法プリセット選択手段２Ｃは、選択候補のＣＴ装置が複数存在する場合には、前記予約状況取得手段２Ｆによって前記予約データベース２Ｅから取得した予約情報を最優先させて“最も空いているＣＴ装置”を選択する。
【００５８】
以上説明したように、本第４実施形態によれば、前記第２実施形態及び第３実施形態に係る検査予約装置と同様の効果を奏する上に、ユーザーが優先させたい情報を反映させたＣＴ装置の選択を前記検査手法プリセット選択手段２Ｃに行わせることができる検査予約装置を提供することができる。
【００５９】
すなわち、当該検査予約装置が“患者状態優先モード”に設定されている場合は、例えば息止めが困難な患者に対してできるだけ体に負担をかけない検査を実施することができる。また、当該検査予約装置が“予約優先モード”に設定されている場合は、患者に対してできるだけ時間的負担をかけない検査を実施することができる。
【００６０】
以上、第１実施形態乃至第４実施形態に基づいて本発明を説明したが、本発明は上述した実施形態に限定されるものではなく、本発明の要旨の範囲内で種々の変形及び応用が可能なことは勿論である。
【００６１】
例えば、前記第１実施形態乃至第４実施形態においては、検査装置としてＣＴ装置を例に説明したが、他にも以下に示すような場合にも前記第１実施形態乃至第４実施形態を適用できる。
【００６２】
すなわち、
第１に、互いに異なる静磁場強度を有する複数のＭＲＩ装置が、本発明の各実施形態に係る検査予約装置に前記ネットワーク６を介して接続されている場合を挙げることができる。
【００６３】
第２に、所謂ＴＤＩ機能の有無の観点等から互いに異なる性能を有する超音波診断装置が、本発明の実施形態に係る検査予約装置に前記ネットワーク６を介して接続されている場合を挙げることができる。
【００６４】
つまり、互いに異なる特性を有する複数のモダリティ装置が、本発明の各実施形態に係る検査予約装置に前記ネットワーク６を介して接続されている場合には、前記第１実施形態乃至前記第４実施形態を適用できる。
【００６５】
なお、当然ながら、前記検査手法プリセットデータベース２Ｂには、当該検査予約装置に接続されている全てのモダリティ装置の前記プリセット情報が格納されているとする。
【００６６】
さらに、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００６７】
【図１】本発明の第１実施形態に係る検査予約装置とＣＴ装置との接続構成を示す図。
【図２】本発明の第１実施形態に係る検査予約装置の構成を示す図。
【図３】検査種入力手段によってユーザーが検査種を当該検査予約装置に入力する際に、所定の表示装置に表示される検査種入力画面の一例を示す図。
【図４】プリセット情報の一例を示す図。
【図５】本発明の第２実施形態に係る検査予約装置の構成を示す図。
【図６】本発明の第３実施形態に係る検査予約装置の構成を示す図。
【図７】患者状態入力手段によってユーザーが患者状態情報を当該検査予約装置に入力する際に、所定の表示装置に表示される患者状態情報入力画面の一例を示す図。
【図８】プリセット情報の詳細を示す図。
【図９】本発明の第４実施形態に係る検査予約装置の構成を示す図。
【符号の説明】
【００６８】
２，２０，２１，２２…検査予約装置、  ２Ａ…検査種入力手段、  ２Ｂ…検査手法プリセットデータベース、  ２Ｃ…検査手法プリセット選択手段、  ２Ｄ…予約手段、  ２Ｅ…予約データベース、  ２Ｆ…予約状況取得手段、  ２Ｇ…患者状態入力手段、  ４Ａ，４Ｂ，４Ｃ…ＣＴ装置、  ６…ネットワーク、  ８Ａ．８Ｂ…予約端末、  １１…表示装置。
【図１】
2008264361.tif 000003
【図２】
2008264361.tif 000004
【図３】
2008264361.tif 000005
【図４】
2008264361.tif 000006
【図５】
2008264361.tif 000007
【図６】
2008264361.tif 000008
【図７】
2008264361.tif 000009
【図８】
2008264361.tif 000010
【図９】
2008264361.tif 000011